(57)【要約】      （修正有）【課題】少なくとも二つ非同心円の湾曲半径を有し、且つ該湾曲半径の非同心円の円心が同一側に位置される循環装置を有するボールねじを提供する。【解決手段】長軸とナットとの間に設けられる複数の回動部材４と、該ナットに設けられる循環装置３とを有し、該ナットに貫通孔が形成され、該貫通孔の内縁に別のねじ溝が形成されると共に、外縁に複数の位置決め孔が形成され、回動部材４は前記ねじ溝同士の間に設けられ、循環装置３は脚部３Ａ、湾曲部３Ｂ及び接続部３Ｃからなり、該接続部の両端が各湾曲部の一端と連接され、各湾曲部の他端が各脚部と連接され、循環装置３に循環チャネルが形成され、該循環チャンネルは直線部３１、湾曲部３２及び接続部３３からなり、その中心線は夫々直線部中心線３１１、第１湾曲中心線３２１、第２湾曲中心線３２２及び接続部中心線３３１で、かつ該第１湾曲中心線の半径Ｒ１が第２湾曲中心線の半径Ｒ２より大きいことを特徴とする。【選択図】図３
0003148532.tif 000002
【実用新案登録請求の範囲】
【請求項１】
外縁にねじ溝を有する長軸と、該長軸に設けられるナットと、該長軸とナットとの間に設けられる複数の回動部材と、該ナットに設けられる循環装置とを有し、
該ナットに該長軸を設置するための貫通孔が形成され、該貫通孔の内縁に該長軸のねじ溝に対応する別のねじ溝が形成されると共に、外縁に複数の位置決め孔が形成され、該位置決め孔が該貫通孔と連通され、
該回動部材は前記ねじ溝同士の間に設けられ、
該循環装置は、二つの脚部、二つの湾曲部及び一つの接続部からなり、該接続部の両端が各湾曲部の一端と連接され、各湾曲部の他端が各脚部と連接され、該脚部が該ナットの位置決め孔に設けられ、該循環装置には循環チャネルが形成され、該循環チャンネルは、二つの直線部、二つの湾曲部及び一つの接続部からなり、各部の中心線が互いに連接され、該中心線は夫々二つの直線部中心線、第１湾曲中心線、第２湾曲中心線及び接続部中心線であり、該第１湾曲中心線と第２湾曲中心線は、各湾曲部の中心線であり、該第１湾曲中心線の半径が第２湾曲中心線の半径より大きいことを特徴とする、ボールねじ。
【請求項２】
前記接続部の両端が夫々湾曲部と直線部とに直接又は間接に連接され、故に、二つの湾曲部と直線部との中心線は同一の平面に位置しないことを特徴とする、請求項１に記載のボールねじ。
【請求項３】
前記該第１湾曲中心線の半径が第２湾曲中心線の半径の２倍から４倍であることを特徴とする、請求項１に記載のボールねじ。
【請求項４】
外縁にねじ溝を有する長軸と、該長軸に設けられるナットと、該長軸とナットとの間に設けられる複数の回動部材と、該ナットに設けられる循環装置とを有し、
該ナットに該長軸を設置するための貫通孔が形成され、該貫通孔の内縁に長軸のねじ溝に対応する別のねじ溝が形成されると共に、外縁に複数の位置決め孔が形成され、該位置決め孔が該貫通孔と連通され、
該回動部材は前記ねじ溝同士の間に設けられ、
該循環装置は、二つの脚部、二つの湾曲部及び一つの接続部からなり、該接続部の両端が各湾曲部の一端と連接され、各湾曲部の他端が各脚部と連接され、該脚部が該ナットの位置決め孔に設けられ、該循環装置には循環チャネルが形成され、該循環チャンネルは、二つの直線部、二つの湾曲部及び一つの接続部からなり、該湾曲部は少なくとも二つ非同心円の湾曲半径を有することを特徴とする、ボールねじ。
【考案の詳細な説明】
【技術分野】
【０００１】
本考案は、ボールねじに係り、特に衝撃力を低減するボールねじに関する。
【背景技術】
【０００２】
現在の工業分野では、ボールねじがよく使用され、直線方面の動力伝動効果を有する他、耐摩損と、高エネルギー転換率と、騒音が小さく、損壊しにくいという特徴を有するので、各種の工業用機具に欠くことのできない部材となっている。
【０００３】
又、ボールねじにおけるナットを無制限にねじロッドに往復させるために、循環装置が必要となり、これにより、回動部材（ボール）が回動溝に循環し続けることができる。
【０００４】
図１に示すように、ボールねじに用いられる従来の循環装置（Ｄ）は、その上に形成される循環チャネル（Ｄ１）が直線部分と単一の湾曲部分からなる構造を有する（図１に示すように、該循環チャネル（Ｄ１）は、直線部（Ａ）、湾曲部（Ｂ）、直線部（Ａ）、湾曲部（Ｂ）及び直線部（Ａ）からなっている）。
【考案の開示】
【考案が解決しようとする課題】
【０００５】
しかしながら、ボールねじにおけるナットの外径が小さい場合、該循環装置（Ｄ）の寸法も小さくなり、そして湾曲部（Ｂ）の回流半径も小さくなり、該回流半径が小さくなると、回動部材の湾曲部に対する衝撃力も向上してしまい、且つ衝撃箇所も集中されてしまう。このような構造は長時間使用すると、湾曲部（Ｂ）の損壊が起きるという欠点があるので、該循環装置（Ｄ）を更に改良する必要があった。
【０００６】
そこで、案出されたのが本考案であって、少なくとも二つ非同心円の湾曲半径を有し、且つ該湾曲半径の非同心円の円心が同一側に位置される循環装置を有するボールねじを提供することを目的としている。
【課題を解決するための手段】
【０００７】
前記目的を達成するために、本考案は下記の手段を採用する。
外縁にねじ溝を有する長軸と、該長軸に設けられるナットと、該長軸とナットとの間に設けられる複数の回動部材と、該ナットに設けられる循環装置とを有し、該ナットに該長軸を設置するための貫通孔が形成され、該貫通孔の内縁に該長軸のねじ溝に対応する別のねじ溝が形成されると共に、外縁に複数の位置決め孔が形成され、該位置決め孔が該貫通孔と連通され、該回動部材は前記ねじ溝同士の間に設けられ、該循環装置は、二つの脚部、二つの湾曲部及び一つの接続部からなり、該接続部の両端が各湾曲部の一端と連接され、各湾曲部の他端が各脚部と連接され、該脚部が該ナットの位置決め孔に設けられ、該循環装置に循環チャネルが形成され、該循環チャンネルは、二つの直線部、二つの湾曲部及び一つの接続部からなり、各部の中心線が互いに連接され、該中心線は夫々二つの直線部中心線、第１湾曲中心線、第２湾曲中心線及び接続部中心線であり、該第１湾曲中心線と第２湾曲中心線は、各湾曲部の中心線であり、該第１湾曲中心線の半径が第２湾曲中心線の半径より大きいことにより、該湾曲部の回転半径が向上することを特徴とするボールねじを提供する。故に湾曲部に対する回動部材の衝撃力を低減することができる。
【０００８】
又、少なくとも二つ非同心円の湾曲半径を有する湾曲部は、回動部材の衝撃力を低減できる効果を有することを証明するために、動態模擬ソフトによりＲ１（第１湾曲中心線の半径）とＲ２（第２湾曲中心線の半径）の関係をプログラムに入力し、その結果を表１に示す。表１から見ると、Ｒ１＝Ｒ２の時、衝撃力の平均値は、１００％であり、Ｒ１＝２Ｒ２の時、衝撃力の平均値は、７３％であり、Ｒ１＝３Ｒ２の時、衝撃力の平均値は、７２％であり、Ｒ１＝４Ｒ２の時、衝撃力の平均値は、５５％であり、Ｒ１＝５Ｒ２の時、衝撃力の平均値は、５２％であり、故に、少なくとも二つ非同心円の湾曲半径を有する湾曲部は、衝撃力を低減することが分かる。よって、該循環装置は、ボールねじの使用寿命を延長することができる。
【０００９】
【表１】
0003148532.tif 000003
【考案の効果】
【００１０】
本考案は上記の課題を解決するものであり、以下のような特長を有する。
１.本考案は、湾曲部に対して回動部材の衝撃力を低減することができるので、ボールねじの安定性を向上することができる。
【００１１】
２.ナットの寸法が小さくても、回動部材が湾曲部でスムーズに移動することができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図２は、本考案に係るボールねじを示す分解斜視図であり、図３は、本考案に係るボールねじにおける循環装置を示す参考図である。
【００１４】
図２及び図３に示すように、本考案に係わるボールねじは、外縁にねじ溝（２１）を有する長軸（２）と、該長軸（２）に設けられるナット（１）と、該長軸（２）とナット（１）との間に設けられる複数の回動部材（４）と、該ナット（１）に設けられる循環装置（３）とを有し、該ナット（１）に該長軸（２）を設置するための貫通孔（１１）が形成され、該貫通孔（１１）の内縁に長軸（２）のねじ溝（２１）に対応する別のねじ溝（符号なし）が形成されると共に、外縁に複数の位置決め孔（１２）が形成され、該位置決め孔（１２）が該貫通孔（１１）と連通され、該回動部材（４）は前記ねじ溝（２１）と前記別のねじ溝の間に設けられ、該循環装置（３）は、二つの脚部（３Ａ）、二つの湾曲部（３Ｂ）及び一つの接続部（３Ｃ）からなり、該接続部（３Ｃ）の両端が各湾曲部（３Ｂ）の一端と連接され、各湾曲部（３Ｂ）の他端が各脚部（３Ａ）と連接され、該脚部（３Ａ）が該ナット（１）の位置決め孔（１２）に設けられ、該循環装置（３）に循環チャネル（符号なし）が形成され、該循環チャンネルは、二つの直線部（３１）、二つの湾曲部（３２）及び一つの接続部（３３）からなり、各部の中心線が互いに連接され、該中心線は夫々二つの直線部中心線（３１１）、第１湾曲中心線（３２１）、第２湾曲中心線（３２２）及び接続部中心線（３３１）であり、該第１湾曲中心線（３２１）と第２湾曲中心線（３２２）は、各湾曲部（３２）の中心線であり、該第１湾曲中心線（３２１）の半径（Ｒ１）が第２湾曲中心線（３２２）の半径（Ｒ２）より大きいことにより、該湾曲部（３２）の回転半径が向上する。故に湾曲部（３２）に対する回動部材（４）の衝撃力を低減することができる。
【００１５】
該回動部材（４）が該循環装置（３）に移動する経路は、順に直線部（３１）、湾曲部（３２）（第１湾曲中心線（３２１）と第２湾曲中心線（３２２）を含む）、接続部（３３）、湾曲部（３２）（第１湾曲中心線（３２１）と第２湾曲中心線（３２２）を含む）及び直線部（３１）であり、該接続部（３３）の両端が夫々湾曲部（３２）と直線部（３１）と直接又は間接に連接され、故に、二つの湾曲部（３２）と直線部（３１）との中心線は同一の平面に位置しない。
【図面の簡単な説明】
【００１６】
【図１】従来のボールねじにおける循環装置を示す参考図である。
【図２】本考案に係るボールねじを示す分解斜視図である。
【図３】本考案に係るボールねじにおける循環装置を示す参考図である。
【符号の説明】
【００１７】
Ｄ          循環装置
Ｄ１        循環チャネル
Ａ          直線部
Ｂ          湾曲部
１          ナット
１１        貫通孔
１２        位置決め孔
２          長軸
２１        ねじ溝
３          循環装置
３Ａ        脚部
３Ｂ        湾曲部
３Ｃ        接続部
３１        直線部
３１１      直線部中心線
３２        湾曲部
３２１      第１湾曲中心線
３２２      第２湾曲中心線
３３        接続部
３３１      接続部中心線
４          回動部材
Ｒ１        半径
Ｒ２        半径
【図１】
0003148532.tif 000004
【図２】
0003148532.tif 000005
【図３】
0003148532.tif 000006